(57)【特許請求の範囲】
【請求項１】
除雪した雪をオーガハウジング（８）内に掻き込み、該オーガハウジング（６）の後部に配置したブロワ（３０）により、雪を跳ね飛ばす除雪機のブロワ（３０）において、該ブロワ（３０）を、ブロワ基板（３１）と、該ブロワ基板（３１）に放射状に固設する複数のブロワ羽根（３２）と、補強ステー（３７）と、各ブロワ羽根（３２）の先端を連結してブロワハウジング（６）の形状に沿うように形成したリング状のプレート部材（３９）より構成し、該ブロワ基板（３１）は略正方形に形成し、角部（３１ａ）を円弧状にカットし、該ブロワ基板（３１）には、略星形の凹凸部を形成し、該凹凸部は該ブロワ基板（３１）の中央部を前方に膨出する膨出部（３１ｂ）とし、該膨出部（３１ｂ）である前面の凸部側に、前記ブロワ羽根（３２・・・）を、前記角部（３１ａ）に向かって半径方向に固設し、前記ブロワ基板（３１）の膨出部（３１ｂ）と反対側の後面の凹部側面に、該ブロワ羽根（３２・・・）と略位置を合わせて放射状に補強ステー（３７・・・）を固設したことを特徴とする除雪機のブロワ。
【請求項２】
請求項１記載の除雪機のブロワにおいて、前記ブロワ羽根（３２）の前端の曲げ部（３２ａ）に固設するリング状のプレート部材（３９）は、外周形状をブロワハウジング（６）の内径形状に合わせたリング状とし、該プレート部材（３９）の半径方向の内側への幅は、該ブロワ羽根（３２）の曲げ部（３２ａ）の取付部において、該曲げ部（３２ａ）の幅と同等とし、該ブロワ羽根（３２）から隣のブロワ羽根（３２）の間は、ブロワ回転方向に向けて徐々に狭めるように構成したことを特徴とする除雪機のブロワ。
【発明の詳細な説明】
【０００１】
【発明の属する技術分野】
本発明は、除雪機の除雪部におけるオーガケースからシュータへ、除雪した雪を飛ばすブロワの構成に関する。
【０００２】
【従来の技術】
従来、走行する機体の前部に除雪部を設け、該除雪部のオーガケース内部に螺旋状のオーガを回動自在に横架し、該オーガの回転によって前方の雪を掻き込み、その後部にブロワを配置して、該ブロワの回転によってシュータを介して投雪するようにしていた。このブロワの各羽根の前端部において、その先端が回転方向に鈍角または直角に折り曲げられているものがある。これはオーガによって雪を掻き込み、ブロワに取り込まれた雪をブロワの回転によりシュータへ吐出する際に、ブロワに取り込んだ雪を前方、即ち、オーガ側にとりこぼさないようにするためのものである。
【０００３】
【発明が解決しようとする課題】
当然ながらこの雪の取りこぼしを少なくするには、この曲げ部分の形状が大きい方がよいことになるが、あまり大きくし過ぎると反対に雪の取り込みに対して邪魔になることがある。また、この羽根は雪以外の異物（例えば石等）を噛み込むと変形する場合があるが、この曲げ部分は羽根の基部より離れた先端位置にあるため、羽根が変形するとその変形量は、曲げ部分においては更に大きな変形量となる。これはすなわち、ブロワを収納しているブロワハウジングへの、干渉が発生しやすいことを示しており、この場合羽根を含めた強度アップが必要とされるのである。また、シロッコファン状に構成したブロワが特開平１１−３２３８６３により公知となっており、この場合、基板側の強度が不足し、羽根に固設したリング体は幅が一定のため、取りこぼしが多くなっていた。特に、小型除雪機の場合ブロワ径が小径のためリング体が取り込みの邪魔になっていた。
【０００４】
【課題を解決するための手段】
本発明の解決しようとする課題は以上の如くであり、次にこの課題を解決するための手段を説明する。
【０００５】
請求項１においては、除雪した雪をオーガハウジング（８）内に掻き込み、該オーガハウジング（６）の後部に配置したブロワ（３０）により、雪を跳ね飛ばす除雪機のブロワ（３０）において、該ブロワ（３０）を、ブロワ基板（３１）と、該ブロワ基板（３１）に放射状に固設する複数のブロワ羽根（３２）と、補強ステー（３７）と、各ブロワ羽根（３２）の先端を連結してブロワハウジング（６）の形状に沿うように形成したリング状のプレート部材（３９）より構成し、該ブロワ基板（３１）は略正方形に形成し、角部（３１ａ）を円弧状にカットし、該ブロワ基板（３１）には、略星形の凹凸部を形成し、該凹凸部は該ブロワ基板（３１）の中央部を前方に膨出する膨出部（３１ｂ）とし、該膨出部（３１ｂ）である前面の凸部側に、前記ブロワ羽根（３２・・・）を、前記角部（３１ａ）に向かって半径方向に固設し、前記ブロワ基板（３１）の膨出部（３１ｂ）と反対側の後面の凹部側面に、該ブロワ羽根（３２・・・）と略位置を合わせて放射状に補強ステー（３７・・・）を固設したものである。
【０００６】
請求項２においては、請求項１記載の除雪機のブロワにおいて、前記ブロワ羽根（３２）の前端の曲げ部（３２ａ）に固設するリング状のプレート部材（３９）は、外周形状をブロワハウジング（６）の内径形状に合わせたリング状とし、該プレート部材（３９）の半径方向の内側への幅は、該ブロワ羽根（３２）の曲げ部（３２ａ）の取付部において、該曲げ部（３２ａ）の幅と同等とし、該ブロワ羽根（３２）から隣のブロワ羽根（３２）の間は、ブロワ回転方向に向けて徐々に狭めるように構成したものである。
【０００７】
【発明の実施の形態】
次に、発明の実施の形態を説明する。図１は除雪機の全体側面図、図２はブロワの正面図、図３は同じく側面図、図４はブロワの後方斜視図、図５はプレート部材を外したブロワの斜視図である。
【０００８】
図１において除雪機の全体構成から説明する。機体フレーム１の前部に除雪部Ａが配設されており、除雪部Ａは機体フレーム１の前端に連設したブロワハウジング６内にブロワ３０を収納し、該ブロワハウジング６の上部に左右回動可能に投雪シュータ７を突出し、ブロワハウジング６前部に掻込オーガ２４を収納したオーガハウジング８を配置している。
【０００９】
前記投雪シュータ７は機体フレーム１後部上に配置した運転操作部Ｂの側部に配置した投雪変更ハンドル２３を回動することにより、投雪シュータ７を回動して投雪方向を変更できるようにしている。該投雪シュータ７の上端には投雪キャップ７ａが設けられ、該投雪キャップ７ａは上下方向に回動でき、運転操作部Ｂの投雪上下変更レバー２０と連結されて、該投雪上下変更レバー２０を回動することによって投雪キャップ７ａが上下方向に変更されて、投雪距離を調節することができる。前記ブロワハウジング６の前端にはオーガハウジング８が連通され、該オーガハウジング８内に掻込オーガ２４が横設され、該掻込オーガ２４と前記ブロワ３０は同時に駆動されて、掻込オーガ２４の回動によって雪を砕いて中央側へ掻き込み、ブロワ３０によって上方へ跳ね飛ばし、投雪シュータ７によってガイドされて任意の方向へ排出できるようにしている。
【００１０】
前記オーガハウジング８の後部両側にはステー９・９を突設し、該ステー９の下部に支持プレート２が固定され、該支持プレート２の下部に接地ローラー１０が回転自在に支持されている。前記支持プレート２の下部はステー９に枢支され、該支持プレート２の上部は前記ステー９に成形した長孔にボルトを挿入して固定できるようにしており、前記ボルトで接地ローラー１０を所望の高さとなるように固定して、除雪部Ａが地表より一定高さに維持されるようにしている。
【００１１】
前記機体フレーム１の両側後部より斜め後上方に、ループ式のハンドル４が突出され、該ハンドル４の上部に運転操作部Ｂが形成されている。該ハンドル４の上部間に操作ボックス５が配置され、その両側上のハンドル４に走行クラッチレバー２１と除雪クラッチレバー２２が配設され、該走行クラッチレバー２１の後部はハンドル４の形状に合わせて平面視略Ｌ字状に構成され、走行クラッチレバー２１と除雪クラッチレバー２２は握っているときのみ作動し、放すと停止するデッドマンクラッチレバーとしている。前記操作ボックス５上には、更に走行変速レバー１８、除雪高さ調節レバー１９、投雪上下変更レバー２０が配設されて、それぞれレバーガイドに沿って回動でき、除雪高さ調節レバー１９、及び、投雪上下変更レバー２０のレバーガイドにはそれぞれ係合部が形成されて、段階的に高さを調節できるようにしている。
【００１２】
そして、前記機体フレーム１上にエンジンＥを載置し、該エンジンＥの前部より出力軸２５を突出し、ベルトカバー３内に配置した該出力軸２５上の二つのプーリーの一方はベルトを介して機体フレーム１内に配置したミッションケースに動力を伝え、他方のプーリーよりベルトを介して前記除雪部Ａのブロワ駆動軸２６に動力を伝えるようにしている。前記ミッションケース内にはＨＳＴ式変速装置が一体的に設けられ、該ミッションケースより両側へ突出した駆動軸１１が機体フレーム１及びトラックフレーム１２を左右に貫通している。該機体フレーム１は、駆動軸１１を中心に前後に傾倒できるように支持され、除雪高さ調節レバー１９の回動によって回動して調節できるようにしている。該駆動軸１１の両軸端に駆動スプロケット１３が固設され、トラックフレーム１２の後部には従動スプロケット支持軸１４が横架され、該従動スプロケット支持軸１４の両端に従動スプロケット１５が回転自在に軸支され、該従動スプロケット１５と前記駆動スプロケット１３の間にクローラーベルト１６を巻回している。
【００１３】
次に本発明のブロワ３０の構成について説明する。図２〜図５に示すように、ブロワ３０はブロワ基板３１とブロワ羽根３２とプレート部材３９からなり、ブロワ基板３１は略正方形に形成されて、角部３１ａは円弧状にカットされて中心からの距離が短くなるようにして、ブロワハウジング６内で回転する際に、円筒状に構成したブロワハウジング６の内面との間の間隙が小さくなるようにして、該ブロワハウジング６とは同芯上で回転するようにしている。
【００１４】
前記ブロワ基板３１の中心位置にはブロワボス３４が固設され、該ブロワボス３４にブロワ駆動軸２６を貫通して駆動できるようにしており、その固定方法はキーを用いたりロックボルトを用いる等の方法があるが、本実施例では、ブロワボス３４の先端にフランジ３５を固設し、ブロワ駆動軸２６に固設したフランジと、前記フランジ３５にそれぞれ開口したピン孔３５ａ・３５ａを一致させて安全ピンを挿入固定して、動力を伝達する構成としている。但し、ピンとピン孔の数は限定するものではない。また、ブロワボス３４の内径部にはブッシュ等の軸受を取り付けておけば、安全ピンが切断した際にブロワ３０とブロワ駆動軸２６が完全にフリーとなり、双方に無理な力がかからず、焼付き等も発生しないようにできる。
【００１５】
前記ブロワ羽根３２は本実施例では四枚設けているが、羽根の数は限定するものではない。該ブロワ羽根３２・３２・・・はブロワ基板３１に対して直角に固設され、ブロワボス３４から略半径方向に放射方向に固設されている。そして、図３に示すように、ブロワ羽根３２の軸心方向幅は中心（ブロワボス３４側）から外周に向かう程広くなるように構成している。こうして、ブロワ３０の周囲は幅広の羽根で雪を跳ね出すのに必要な広さを確保しているのである。そして、ブロワ３０の中心部はブロワ羽根の軸心方向幅が狭いので、雪の取り込みがよくなるのである。
【００１６】
そして、ブロワ羽根３２の先端は回転方向に向かって、鈍角または直角に曲げられて曲げ部３２ａが形成され、この曲げ部３２ａを設けることによって、一旦取り込んだ雪を掻込オーガ２４側に戻してしまうことなく、投雪シュータ７の吐出口より吐出するようにしているのである。
【００１７】
また、ブロワ羽根３２の回転方向に対して反対側（後側）には補強プレート３６が設けられ、該補強プレート３６は略三角形状に構成して、ブロワ基板３１に対して略直角に固設して、ブロワ羽根３２を回転して投雪する時に倒れて変形しないようにし、該補強プレート３６は投雪時には反作用側なので邪魔にならない。そして、該補強プレート３６は図２の正面視に示す如く「く」字状に折り曲げられて剛性をアップしており、この折り曲げ部３６ａは後述する幅狭部３９ｃの幅と略一致させて雪の取り込みに極力邪魔にならないようにしている。
【００１８】
また、ブロワ基板３１は略星形の凹凸が形成されて強度アップを図っており、板体を中央部が前方に膨出するように構成して、この膨出部３１ｂは角部３１ａに向かって延出されて、この膨出部３１ｂの凸部側にブロワ羽根３２・３２・・・が角部３１ａに向かって半径方向に固設されている。そして、前記ブロワ羽根３２と反対側の凹部側面に、略位置を合わせて放射状に補強ステー３７・３７・・・を固設して、更に強度アップを図っている。該補強ステー３７の高さはブロワ基板３１の後面と同じ高さとしているが、後面よりも突出させて構成することによって、ブロワハウジング６とブロワ基板３１の間に溜まる雪を掻き出すようにすることもできる。
【００１９】
そして更に、ブロワ羽根３２の先端（前側）にはプレート部材３９が固設され、該プレート部材３９はリング状に構成されており、各ブロア羽根３２・３２・・・をプレート部材３９で連結する構成としている。該プレート部材３９の外周形状は円形として、円筒形状のブロワハウジング６の内面に一定間隙を保って回転できるようにしている。
【００２０】
一方、前記プレート部材３９の内周形状は略花型として、ブロワ羽根３２に当接する部分３９ａの幅Ｄ１は曲げ部３２ａの幅と略一致させ、ブロワ３０の回転する方向における前記当接する部分３９ａの後側の部分３９ｂの幅Ｄ２は強度確保のための最低幅として約半分の幅（Ｄ１＝２×Ｄ２）としている。そして、本実施例では後側の部分３９ｂの幅Ｄ２を有する部分はブロワ羽根３２とブロワ羽根３２の略中間位置まで形成して幅狭部３９ｃとし、この中間部から当接する部分３９ａまでは徐々に幅を広げる幅広部３９ｄとしている。但し、後側の部分３９ｂから当接する部分３９ａまでを徐々に幅を広げる構成とすることも可能である。
【００２１】
このような構成でブロワ３０を回転させた場合、掻込オーガ２４により掻き込まれた雪はその回転と共に遠心力により外周方向に移動していくが、幅広部３２ｄがあるために、従来形状と全く異なる雪のこぼれ止めが構成され、雪は掻込オーガ２４側へ吹き出さないようにできるのである。また、羽根部分においては、ブロワ羽根３２とブロワ羽根３２の間に取り込まれた雪が蓄積され、回転上手側ではプレートが幅狭部３９ｃであるので取り込みの邪魔にならず、幅狭部３９ｃでの幅では雪が多過ぎてこぼれ止めが機能しない可能性があるが、幅広部３９ｄが回転方向の後側に位置するため、その幅をもって雪の取りこぼしの防止ができるのである。この構造は従来の曲げ部分に比べると大きな部材となり、雪の取りこぼしに対して有効となる。更に、このプレート部材３９は各ブロワ羽根３２・３２・・・を連結しているので、ブロワ３０全体として剛性がアップし、ブロワ羽根３２の変形を防止できるのである。
【００２２】
前記プレート部材３９の幅について説明する。図２に示されているように、幅狭部３９ｃと幅広部３９ｄはそれぞれ所定の長さを有しているが、どのような比率とするかはブロワ羽根３２の枚数による。ブロワ羽根３２の枚数は装着する除雪機の大きさに関係するが、一般的には羽根枚数が多いと、雪の取り込みは悪くなるが、ブロワ羽根一枚当たりの負担は軽く強度は高くする必要がなくなる。反対に羽根枚数が少ないと雪の取り込みは良いが、羽根一枚当たりの負担が大きく強度も高くする必要がある。
【００２３】
同様のことが幅狭部３９ｃと幅広部３９ｄの区間でも適用できる。即ち、ブロワ羽根３２とブロワ羽根３２の間のプレート部材３９において、幅広部３９ｄが占める比率が高ければ、取り込みは悪いが取り込んだ雪の取りこぼしは少なくなる。逆に、幅狭部３９ｃが占める比率が高ければ、取り込みは良いが逆に雪の取りこぼしは多くなる。これにブロワ羽根の枚数を考慮すると、羽根枚数が多ければ幅広部３９ｄの比率は小さい方が良く、羽根枚数が少なければ幅狭部３９ｃの比率が小さい方が良いことになる。従って、幅狭部３９ｃと幅広部３９ｄの比率は枚数によって随時決定される。
【００２４】
また、前記実施例では、プレート部材３９を溶接により固定する構成としているが、ボルト等により、取り外し可能な構成をすると、プレート部材３９の奥に雪等が詰まった場合、プレート部材３９を取り外すことにより雪の詰まりを除去し易くすることができる。しかし、リング状のプレート部材２０ではその真ん中にブロワ駆動軸２６を通して組み付ける構造のため、プレート部材３９を取り外してもブロワ駆動軸２６の前部は掻込オーガ２４があるため完全に除雪機から取り外せず、雪の除去などが行い難い場合がある。そこでこのような場合のために、前記プレート部材３９を取り外せる構造において、プレート部材３９を二個以上の部品に分割して構成することによって、このプレート部材３９を分割して完全に除雪機から取り外すことができ、雪の除去などが行い易くなる。またプレート部材３９にはその強度確保のために補強部材の固着、または、取り付け、さらにはリブ等を設けても良い。なお、このブロワは除雪機において使用可能なものであり、クローラー式とかホイル式とか限定するものではない。
【００２５】
【発明の効果】
本発明は、以上のように構成したので、以下に示すような効果を奏する。
請求項１に記載の如く、除雪した雪をオーガハウジング（８）内に掻き込み、該オーガハウジング（６）の後部に配置したブロワ（３０）により、雪を跳ね飛ばす除雪機のブロワ（３０）において、該ブロワ（３０）を、ブロワ基板（３１）と、該ブロワ基板（３１）に放射状に固設する複数のブロワ羽根（３２）と、補強ステー（３７）と、各ブロワ羽根（３２）の先端を連結してブロワハウジング（６）の形状に沿うように形成したリング状のプレート部材（３９）より構成し、該ブロワ基板（３１）は略正方形に形成し、角部（３１ａ）を円弧状にカットし、該ブロワ基板（３１）には、略星形の凹凸部を形成し、該凹凸部は該ブロワ基板（３１）の中央部を前方に膨出する膨出部（３１ｂ）とし、該膨出部（３１ｂ）である前面の凸部側に、前記ブロワ羽根（３２・・・）を、前記角部（３１ａ）に向かって半径方向に固設し、前記ブロワ基板（３１）の膨出部（３１ｂ）と反対側の後面の凹部側面に、該ブロワ羽根（３２・・・）と略位置を合わせて放射状に補強ステー（３７・・・）を固設したので、簡単な構成で剛性の高いブロワを構成することができ、除雪した雪を取り込んで効率よく跳ね飛ばすことができるようになる。
【００２６】
また、前記ブロワ基板に星形の凹凸部を形成し、該ブロワ基板の凸側にブロワ羽根を固設したので、基板は凹凸を構成するだけの簡単な加工によって剛性がアップされ、跳ね飛ばし時に変形することを防止でき、凸側にブロワ羽根が固設されるので、羽根基部において星型の凸部形状に沿って雪が案内されて、雪の滞りや固まりの付着を減少できる。
【００２７】
また、前記ブロワ基板に星形の凹凸部を形成し、凹側に補強ステーを設けたので、ブロワ羽根の裏面側において、ブロワ基板の凹凸形状に加えて補強ステーによって剛性がアップされ、ブロワ羽根の裏側からも補強することができ、跳ね飛ばし時に変形することを防止できる。また、羽根の枚数を少なくして雪の取り込みを多くすることができる。
【００２８】
また、前記ブロワ基板に星形の凹凸部を形成し、凸側にブロワ羽根を固設し、凹側に補強ステーを設けたので、基板の凹凸と補強ステーとブロワ羽根によってさらに剛性がアップされ、跳ね飛ばし時に変形することを防止できる。また、羽根の枚数を少なくして雪の取り込みを多くすることができる。
【００２９】
請求項２に記載の如く、請求項１記載の除雪機のブロワにおいて、前記ブロワ羽根（３２）の前端の曲げ部（３２ａ）に固設するリング状のプレート部材（３９）は、外周形状をブロワハウジング（６）の内径形状に合わせたリング状とし、該プレート部材（３９）の半径方向の内側への幅は、該ブロワ羽根（３２）の曲げ部（３２ａ）の取付部において、該曲げ部（３２ａ）の幅と同等とし、該ブロワ羽根（３２）から隣のブロワ羽根（３２）の間は、ブロワ回転方向に向けて徐々に狭めるように構成したので、プレート部材の狭い部分から大きな抵抗なく徐々に雪を容易に取り込み、幅の広い部分で取りこぼしを防止し、掻込オーガで取り込んだ雪をブロワによって効率よく排出できるようになったのである。
【００３０】
また、簡単な構成でブロワの羽根やプレート部材の剛性をアップして、プレート部材の狭い部分で雪を容易に取り込められるようにして、幅の広い部分は取りこぼしを防止することができるようになり、掻込オーガで取り込んだ雪をブロワによって効率よく排出できるようになったのである。
【図面の簡単な説明】
【図１】  除雪機の全体側面図である。
【図２】  ブロワの正面図である。
【図３】  同じく側面図である。
【図４】  ブロワの後方斜視図である。
【図５】  プレート部材を外したブロワの斜視図である。
【符号の説明】
６    オーガハウジング
３０  ブロワ
３１  ブロワ基板
３２  ブロワ羽根
３７  補強ステー
３９  プレート部材
【図１】
0004316779.tif 000002
【図２】
0004316779.tif 000003
【図３】
0004316779.tif 000004
【図４】
0004316779.tif 000005
【図５】
0004316779.tif 000006